(57)【要約】【課題】落下等による衝撃が生じても、電動機の固定子の固定位置がずれることを防止して均一なエアーギャップを確保し、耐衝撃性の高い電動圧縮機を提供する。【解決手段】固定子１２０は積層鋼板からなる固定子鉄心１２５と巻線部１２４とを備え、回転子１１５は回転子鉄心１１６に収容した希土類の永久磁石１１４を備え、圧縮機構部１０２を形成するシャフト１０４に回転子１１５を固定し、シャフト１０４を軸支するブロック１１０に固定子１２０を弾性座金を介して固定ボルトで固定することにより、落下の衝撃で固定子鉄心１２５が収縮しても、固定ボルトによる締め付け力と弾性座金の反発力が作用して固定子１２０の固定を堅固な状態を維持し、固定子の固定位置がずれることを防止することができる。【選択図】図１
2005180312.tif 000002
【特許請求の範囲】
【請求項１】
密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を、弾性座金を介して固定ボルトで固定した電動圧縮機。
【請求項２】
密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を取り付ける面の脚部それぞれを接着剤を介して前記固定子を固定ボルトで固定した電動圧縮機。
【請求項３】
密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を固定ボルトによって固定するとともに、積層した前記固定子鋼板外側と前記固定子を取り付ける脚部とを溶着した電動圧縮機。
【請求項４】
密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を、前記シャフトを軸支するブロックに、バネ鋼で形成した固定ボルトによって前記固定子を固定した電動圧縮機。
【請求項５】
電動機部はインバータ駆動される請求項１から４のいずれか一項に記載の電動圧縮機。
【請求項６】
電動機部は永久磁石の外周近傍に２次導体を備えることで同期電動機を構成した請求項１から４のいずれか一項に記載の電動圧縮機。
【発明の詳細な説明】
【技術分野】
【０００１】
本発明は、冷凍冷蔵庫や自動販売機等の冷凍装置に使用する電動圧縮機に関するものである。
【背景技術】
【０００２】
従来の電動圧縮機における固定子の固定は、たとえば、ブロックに固定ボルトで固定したものがある（例えば、特許文献１参照）。
【０００３】
以下、図面を参照しながら上記従来の電動圧縮機を説明する。
【０００４】
図１１は、特許文献１に記載された従来の電動圧縮機の縦断面図を示したものであり、図１２は図１１の要部拡大縦断面図である。
【０００５】
図１１および図１２において、電動圧縮機の外郭をなす密閉容器１は、圧縮機構部２とその上方に設けた電動機部３とを収納している。電動機部３は固定子１３と回転子１５とから形成されている。圧縮機構部２を形成するシャフト４は偏芯部４ａを備え、回転子１５が圧入固定されている。
【０００６】
鉄系材料の鋳物からなるブロック５は、シャフト４が挿入される軸受部６と、この軸受部６とほぼ直角に形成されたシリンダ７とが形成されている。シリンダ７にはピストン９が往復自在に挿入され、圧縮室１０を形成する。ピストン９と偏芯部４ａとはコネクティングロッド８によって連結されている。
【０００７】
また、偏芯部４ａの先端には、遠心ポンプを形成する給油管１１が取り付けられており、密閉容器１の底部に貯溜する潤滑油１２を圧縮機構部２の各摺動部に給油する。
【０００８】
固定子１３は、積層電磁鋼板よりなる固定子鉄心１８に巻線を巻装してなり、ブロック５の脚部５ａに固定ボルト１４によって螺着されている。
【０００９】
回転子１５を構成する回転子鉄心１７は積層電磁鋼板よりなり、平板形の永久磁石１６が回転子１５の鉄心の軸方向に内蔵されている。永久磁石１６はネオジウム等の希土類系の強磁性体磁石材からなる。
【００１０】
以上のように構成された電動圧縮機について、以下その動作、作用を説明する。
【００１１】
固定子１３に電気が供給されると、回転子１５とともにシャフト４が回転し、偏芯部４ａに連結されたコネクティングロッド８を介してピストン９がシリンダ７内で往復運動し、圧縮室１０内で冷媒ガスが圧縮され、冷凍冷蔵機器等の冷凍システム（図示せず）に吐出される。
【００１２】
圧縮機構部２の軸受部６、シリンダ７、コネクティングロッド８およびピストン９等の各摺動部へは、シャフト４の下端に装着された給油管１１が回転して、その遠心ポンプ作用により潤滑油１２を汲み上げて給油する。
【００１３】
回転子１５には、ネオジウム等の希土類系の強磁性体磁石材からなる永久磁石を内蔵することにより、励磁電力が不要となり高い効率が得られる。
【特許文献１】特開２００１−７３９４８号公報
【発明の開示】
【発明が解決しようとする課題】
【００１４】
しかしながら、上記従来の構成では、輸送時に圧縮機の落下等が生じた際には、落下等により発生する衝撃によって固定子１３の固定位置がずれてしまうという課題を有していた。この理由について以下に述べる。
【００１５】
固定子１３は、積層電磁鋼板よりなる固定子鉄心１８がブロック５の脚部５ａに固定ボルト１４によって螺着されているため、落下の衝撃が積層電磁鋼板の積層方向の力として発生すると、固定子鉄心１８が積層間のわずかな空隙がつまり、一瞬収縮する。その時に、固定ボルト１４の締付方向の力が激減してしまい、ほとんど締付力が無くなってしまうことがある。
【００１６】
そして、そこに回転子１５に備えられた希土類系の強磁性体の永久磁石１６の強い磁力が作用することで、固定子１３が回転子１５に吸引され、固定子１３の固定位置がずれてしまう。その後、落下の衝撃が収まると固定ボルト１４の締付方向の力は元に戻るので、固定子１３は固定位置がずれたまま、再び固定される。
【００１７】
その結果、固定子１３と回転子１５間の同軸度がずれ、固定子１３と回転子１５間に存在する隙間であるエアーギャップが不均一となり、電動機のギャップ不同に起因して生ずる始動性の悪化および効率低下といった問題が生じてしまう。さらには、始動しない場合が生じるという課題を有していた。
【００１８】
本発明は、上記従来の課題を解決するもので、耐衝撃性の高い電動圧縮機を提供することを目的とする。
【課題を解決するための手段】
【００１９】
上記従来の課題を解決するために、本発明の電動圧縮機は、固定子は積層鋼板からなる固定子鉄心と巻線部とを備え、回転子は回転子鉄心に収容した希土類の永久磁石を備え、圧縮機構部を形成するシャフトに回転子を固定し、シャフトを軸支するブロックに固定子を、弾性座金を介して固定ボルトで固定したもので、落下等の衝撃で固定子鉄心が収縮しても固定ボルトによる締め付け力と弾性座金の反発力が作用して固定子の固定を堅固なものとし、固定子が回転子に吸引されて固定位置がずれてしまうことを防ぐという作用を有する。
【００２０】
また、シャフトを軸支するブロックに固定子を取り付ける面の脚部それぞれを、接着剤を介して固定子を固定ボルトで固定したものであり、落下等の衝撃で固定子鉄心が収縮しても固定ボルトによる締め付け力と接着剤の接着力が作用して固定子の固定を堅固なものとし、固定子が回転子に吸引されて固定位置がずれてしまうことを防ぐという作用を有する。
【００２１】
また、シャフトを軸支するブロックに固定子を固定ボルトによって固定するとともに、積層した固定子鋼板外側と固定子を取り付ける脚部それぞれに溶着したものであり、落下等の衝撃で固定子鉄心が収縮しても固定ボルトによる締め付け力と溶着力が加わり固定子の固定を堅固なものとし、固定子が回転子に吸引されて固定位置がずれてしまうことを防ぐという作用を有する。
【００２２】
また、シャフトを軸支するブロックに、バネ鋼で形成した固定ボルトによって固定子を固定したものであり、固定ボルトとしての締め付け力とバネ鋼によるバネ力が加わり、落下等の衝撃で固定子鉄心が収縮しても固定ボルトの締め付け力とバネ力による弾性力が作用して固定子の固定を堅固なものとし、固定子が回転子に吸引されて固定位置がずれてしまうことを防ぐという作用を有する。
【発明の効果】
【００２３】
本発明の電動圧縮機は、シャフトを軸支するブロックと固定子を、弾性座金を介して固定ボルトで固定したもので、落下等による衝撃が生じても、固定ボルトによる締め付け力と弾性座金の反発力が作用して固定子の固定を堅固なものとし、耐衝撃性に優れた信頼性の高い電動圧縮機を提供することができる。
【００２４】
また、本発明の電動圧縮機は、シャフトを軸支するブロックと固定子を、接着剤を介して固定ボルトで固定したもので、落下等の衝撃で固定子鉄心が収縮しても固定ボルトによる締め付け力と接着剤の接着力が作用して固定子の固定を堅固なものとし、耐衝撃性に優れた信頼性の高い電動圧縮機を提供することができる。
【００２５】
また、本発明の電動圧縮機は、シャフトを軸支するブロックと固定子を、積層した固定子鋼板外側と固定子を取り付ける脚部それぞれに溶着したものであり、落下等の衝撃で固定子鉄心が収縮しても固定ボルトによる締め付け力と溶着力が加わり固定子の固定を堅固なものとし、耐衝撃性に優れた信頼性の高い電動圧縮機を提供することができる。
【００２６】
また、本発明の電動圧縮機は、シャフトを軸支するブロックと固定子を、バネ鋼で形成した固定ボルトによって固定子を固定したものであり、固定ボルトとしての締め付け力とバネ鋼によるバネ力が加わり、落下等の衝撃で固定子鉄心が収縮しても固定ボルトの締め付け力とバネ力による弾性力が作用して固定子の固定を堅固なものとし、耐衝撃性に優れた信頼性の高い電動圧縮機を提供することができる。
【発明を実施するための最良の形態】
【００２７】
請求項１に記載の発明は、密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を、弾性座金を介して固定ボルトで固定したもので、落下等の衝撃で固定子鉄心が収縮しても固定ボルトによる締め付け力と弾性座金の反発力が作用して固定子の固定を堅固なものとし、固定子が回転子に吸引されて固定位置がずれてしまうことを防ぐことができ、耐衝撃性に優れた信頼性の高い電動圧縮機を提供することができる。
【００２８】
請求項２に記載の発明は、密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を取り付ける面の脚部それぞれを、接着剤を介して前記固定子を固定ボルトで固定したもので、落下等の衝撃で固定子鉄心が収縮しても固定ボルトによる締め付け力と接着剤の接着力が作用して固定子の固定を堅固なものとし、固定子が回転子に吸引されて固定位置がずれてしまうことを防ぐことができ、耐衝撃性に優れた信頼性の高い電動圧縮機を提供することができる。
【００２９】
請求項３に記載の発明は、密閉容器内に圧縮機構部と固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに前記固定子を固定ボルトによって固定するともに、積層した前記固定子鋼板外側と前記固定子を取り付ける脚部それぞれに溶着したもので、落下等の衝撃で固定子鉄心が収縮しても固定子の締め付け力と溶着力が加わり固定子の固定を堅固なものとし、固定子が回転子に吸引されて固定位置がずれてしまうことを防ぐことができ、耐衝撃性に優れた信頼性の高い電動圧縮機を提供することができる。
【００３０】
請求項４に記載の発明は、密閉容器内に圧縮機構部と、密閉容器内に圧縮機構部と、固定子と回転子からなる電動機部とを収納し、前記固定子は積層鋼板からなる固定子鉄心と巻線部とを備え、前記回転子は回転子鉄心に収容した希土類の永久磁石を備え、前記圧縮機構部を形成するシャフトに前記回転子を固定し、前記シャフトを軸支するブロックに、バネ鋼で形成した固定ボルトによって前記固定子を固定したもので、固定ボルトとしての締め付け力とバネ鋼によるバネ力が加わり、落下の衝撃で固定子鉄心が収縮しても固定ボルトの締め付け力とバネ力による弾性力が作用して固定子の固定を堅固なものとし、固定子が回転子に吸引されて固定位置がずれてしまうことを防ぐことができ、耐衝撃性に優れた信頼性の高い電動圧縮機を提供することができる。
【００３１】
請求項５に記載の発明は、請求項１から４のいずれか一項に記載の電動圧縮機に電動機部はインバータ駆動としたもので、電動機部はインバータ駆動される電動圧縮機においても、固定子が回転子に吸引されて固定位置がずれてしまうことを防ぐことができ、耐衝撃性に優れた信頼性の高い電動圧縮機を提供することができる。
【００３２】
請求項６に記載の発明は、請求項１から４のいずれか一項に記載の電動圧縮機に電動機部は永久磁石の外周近傍に２次導体を備えることで同期電動機を構成したもので、電動機部は同期電動機を構成したものにおいても、固定子が回転子に吸引されて固定位置がずれてしまうことを防ぐことができ、耐衝撃性に優れた信頼性の高い電動圧縮機を提供することができる。
【００３３】
（実施の形態１）
図１は、本発明の実施の形態１における電動圧縮機の縦断面図、図２は図１の要部拡大横断面図、図３は本発明の実施の形態１における要部拡大縦断面図である。
【００３４】
図１、図２、図３において、電動圧縮機の外郭をなす密閉容器１０１には、圧縮機構部１０２とその上方に設けた電動機部１０３とを収納している。電動機部１０３は固定子１２０と回転子１１５から形成されている。
【００３５】
圧縮機構部１０２を形成するシャフト１０４は偏芯部１０５を備え、回転子１１５が圧入固定されている。
【００３６】
鉄系材料の鋳物からなるブロック１１０は、シャフト１０４が挿入される軸受部１０６と、この軸受部１０６とほぼ直角に形成されたシリンダ１０９とが形成されている。軸受部１０６は非磁性体であるアルミからなり、ブロック１１０にボルト１２３によって螺着されている。
【００３７】
シリンダ１０９の先端には、吐出弁や吸込弁（ともに図示せず）を有した弁室１１３が取り付けられている。シリンダ１０９にはピストン１０８が往復自在に挿入され、圧縮室１１２を形成する。ピストン１０８と偏芯部１０５とはコネクティングロッド１１１によって連結されている。偏芯部１０５の先端には遠心ポンプを形成する給油管１１８が取り付けられており、密閉容器１０１の底部に貯溜する潤滑油１１９を圧縮機構部１０２の各摺動部に給油する。また、弁室１１３の吸込弁（図示せず）側には、サクションマフラー１１７が取り付けられている。
【００３８】
ブロック１１０には、固定子１２０を取り付ける面の脚部として、固定子取り付け脚部１１０ａが設けられている。
【００３９】
そして、固定子１２０は、積層電磁鋼板よりなる固定子鉄心１２５と、固定子鉄心１２５に巻線を巻装した巻線部１２４とを備え、スプリングワッシャーからなる弾性座金１２１を介して、複数本の固定ボルト１２２により、ブロック１１０の固定子取り付け脚部１１０ａに固定される。
【００４０】
回転子１１５を構成する回転子鉄心１１６は積層電磁鋼板よりなり、平板形の永久磁石１１４は同極同士を山形状に突き合せるように回転子鉄心１１６の軸方向に内蔵されており、２個の永久磁石１１４で１極の回転子磁極を形成し、回転子１１５全体で２極の回転子磁極とから構成されている。また、回転子鉄心の外周近傍には非磁性体であるアルミからなる２次導体１０７が形成されており、起動時には誘導電動機として働き、その後同期運転へと移る誘導同期電動機を形成している。
【００４１】
また、永久磁石１１４はネオジウム・鉄・ボロン系の強磁性体からなる。
【００４２】
以上のように構成された電動圧縮機について、以下その動作、作用を説明する。
【００４３】
固定子１２０に電気が供給されると、回転子１１５とともにシャフト１０４が回転し、偏芯部１０５に連結されたコネクティングロッド１１１を介してピストン１０８がシリンダ１０９内で往復運動し、サクションマフラー１１７から吸込弁（図示せず）側の弁室１１３を経て吸入された冷媒ガスは圧縮室１１２内で圧縮され、冷凍冷蔵機器等の冷凍システム（図示せず）に吐出される。
【００４４】
圧縮機構部１０２の軸受部１０６、シリンダ１０９、コネクティングロッド１１１およびピストン１０８等の各摺動部へは、シャフト１０４の下端に装着された給油管１１８が回転してその遠心ポンプ作用により潤滑油１１９を汲み上げて給油する。回転子１１５にはネオジウム等の希土類系の強磁性体磁石材からなる永久磁石を内蔵することにより、励磁電力が不要となり高い効率が得られる。
【００４５】
次に、電動圧縮機に、落下時等の強い衝撃が加わった時の動作、作用を説明する。
【００４６】
固定子１２０は、積層電磁鋼板よりなる固定子鉄心１２５がブロック１１０の固定子取り付け脚部１１０ａに固定ボルト１２２によって螺着されているため、落下の衝撃が特に積層電磁鋼板の積層方向の力として発生すると、固定子鉄心１２５の積層間のわずかな空隙がつまり、一瞬収縮する。固定子鉄心１２５が積層方向に収縮すると、固定ボルト１２２による固定子１２０の締め付け力は弱まってしまう。
【００４７】
しかしながら、弾性座金１２１を介して固定子１２０を固定ボルト１２２で固定しているので、積層電磁鋼板の積層方向の収縮に伴う固定ボルト１２２の締め付け力の低下を、弾性座金１２１の弾性力が補うため、固定子１２０の固定は依然として堅固状態を維持することができる。
【００４８】
従って、落下時等の強い衝撃が加わり、固定子鉄心１２５が積層方向に一瞬収縮し、加えて希土類系の強磁性体の永久磁石１１４の強い磁力が作用しても、固定子１２０が回転子１１５に吸引されて固定位置がずれてしまうことがほとんど無くなる。また、落下の衝撃が収まると固定ボルト１２２の締め付け力は元に戻るので、固定子１２０は元の位置のまま、再び強固に固定される。
【００４９】
その結果、回転子１１５が強磁性体からなる永久磁石の圧縮機の輸送時に生じていた固定子１２０と回転子１１５間のエアーギャップ不良を減少することができ、電動機のギャップ不同に起因する始動性の悪化および効率低下といった問題を回避することができる。まして始動しないといったことは発生しない。
【００５０】
従って本実施の形態によれば、固定子１２０が回転子１１５に吸引されて固定位置がずれてしまうことを防ぐことができ、耐衝撃性の高い電動圧縮機を提供することができた。
【００５１】
なお、本実施の形態において、弾性座金１２１としてスプリングワッシャーを用いているが、弾性座金１２１としては、たとえば、外歯付き座金または内外歯付き座金または皿バネワッシャを用いることが考えられ、いずれも弾性変形の反発力を維持し続けるものである。
【００５２】
（実施の形態２）
図４は、本発明の実施の形態２における電動圧縮機の縦断面図であり、図５は、同実施の形態における電動圧縮機の要部拡大縦断面図である。
【００５３】
以下、図４、図５に基づいて本実施の形態について説明する。なお、実施の形態１と同一構成については同一符号を付して詳細な説明を省略する。
【００５４】
図４、図５において、ブロック１１０の固定子取り付け脚部１１０ａの面に接着剤１３０を塗布し、これを介して固定子１２０を固定子取り付け脚部１１０ａに固定ボルト１２２により固定する。このような接着剤１３０としては、たとえば、ガラス繊維が入ったエポキシ系の熱硬化性のものが一般的である。
【００５５】
圧縮機の組立て終了後、圧縮機は乾燥工程に移行され乾燥炉にて圧縮機を加熱するが、この加熱過程で接着剤１３０は熱を受けて硬化する。
【００５６】
以上のように構成された電動圧縮機について、以下その動作、作用を説明するが、特に落下時等の強い衝撃が加わった時の動作、作用を説明する。
【００５７】
固定子１２０は積層電磁鋼板よりなる固定子鉄心１２５がブロック１１０の固定子取り付け脚部１１０aに固定ボルト１２２によって螺着されているため、落下の衝撃が積層電磁鋼板の積層方向の力として発生すると、固定子鉄心１２５が積層間のわずかな空隙をつめて、一瞬収縮する。その結果、固定ボルト１２２の締め付け力は激減する。しかしながら固定子１２０を、固定子取り付け脚部１１０ａの面に接着剤１３０を塗布し、これを介して固定ボルト１２２で固定しているので、固定ボルト１２２の締め付け力の低下を接着剤１３０の接着力が補うため固定子１２０の固定は堅固状態を維持することができる。
【００５８】
従って、落下時等の強い衝撃が加わり、固定子鉄心１２５が積層方向に一瞬収縮し、加えて希土類系の永久磁石１１４の強い磁力が作用しても、固定子１２０が回転子１１５に吸引されてずれてしまうことが無くなる。また、落下の衝撃が収まると固定ボルト１２２の締付方向の力は元に戻るので、固定子１２０は元の位置のまま、再び固定される。
【００５９】
その結果、回転子１１５が強磁性体からなる永久磁石の圧縮機の輸送時に生じていた固定子１２０と回転子１１５間のエアーギャップ不良を減少することができ、電動機のギャップ不同に起因する始動性の悪化および効率低下といった問題を回避することができる。まして始動しないといったことは発生しない。
【００６０】
従って本実施の形態によれば、固定子１２０が回転子１１５に吸引されて固定位置がずれてしまうことを防ぐことができ、耐衝撃性の高い電動圧縮機を提供することができた。
【００６１】
（実施の形態３）
図６は、本発明の実施の形態３おける電動圧縮機の縦断面図、図７は図６の要部拡大横断面図、図８は本発明の実施の形態３における要部拡大縦断面図である。
【００６２】
図６、図７、図８において、電動圧縮機の外郭をなす密閉容器１０１には、圧縮機構部１０２とその上方に設けた電動機部２０３とを収納している。電動機部２０３は固定子２１６と回転子２１５からなるモータであり、インバータ制御されるものである。圧縮機構部１０２を形成するシャフト１０４は偏芯部１０５を備え、回転子２１５が圧入固定されている。
【００６３】
ブロック１１０は鉄系材料の鋳物からなり、シャフト１０４が挿入される軸受部１０６と、この軸受部１０６とほぼ直角に形成されたシリンダ１０９とが形成されている。軸受部１０６は非磁性体であるアルミまたは磁性体の鋳物からなり、ブロック１１０にボルト１２３によって螺着されている。
【００６４】
シリンダ１０９の先端には、吐出弁や吸込弁（ともに図示せず）を有した弁室１１３が取り付けられている。シリンダ１０９にはピストン１０８が往復自在に挿入され、圧縮室１１２を形成する。ピストン１０８と偏芯部１０５とはコネクティングロッド１１１によって連結されている。偏芯部１０５の先端には遠心ポンプを形成する給油管１１８が取り付けられており、密閉容器１０１の底部に貯溜する潤滑油１１９を圧縮機構部１０２の各摺動部に給油する。また、弁室１１３の吸込弁（図示せず）側にはサクションマフラー１１７が取り付けられている。
【００６５】
ブロック１１０には、固定子２１６を取り付ける面の脚部として、固定子取り付け脚部１１０ａが設けられている。
【００６６】
そして、固定子２１６は、積層電磁鋼板よりなる固定子鉄心２２５と、固定子鉄心２２５に巻線を分布横巻方式または突極集中巻方式にて巻装した巻線部２２４とを備えている。そして、固定子２１６は、積層電磁鋼板よりなる固定子鉄心２２５を、複数本の固定ボルト１２２によりブロック１１０の固定子取り付け脚部１１０aに固定されている。
【００６７】
さらに、固定子２１６をブロック１１０に取り付ける脚部である固定子取り付け脚部１１０ａと積層電磁鋼板外側とを溶着部２４０にて溶着し、固定子２１６とブロック１１０とを溶着結合している。このような溶着結合は電気溶接またはテグ溶接が一般的である。
【００６８】
回転子２１５を構成する回転子鉄心２２１は積層電磁鋼板よりなり、半円弧状の複数の永久磁石２２０を内蔵する。また、永久磁石２２０はネオジウム・鉄・ボロン系の強磁性体からなる。
【００６９】
電動機部２０３はインバータ装置２０４による運転周波数によって運転され、冷凍装置の制御回路２０５で制御される。
【００７０】
以上のように構成された電動圧縮機について、以下その動作、作用を説明する。
【００７１】
固定子２１６にインバータ装置２０４による回転周波数の電気が供給されると、回転子２１５とともにシャフト１０４が回転し、偏芯部１０５に連結されたコネクティングロッド１１１を介してピストン１０８がシリンダ１０９内で往復運動し、サクションマフラー１１７から吸込弁（図示せず）側の弁室１１３を経て吸入された冷媒ガスは圧縮室１１２内で圧縮され、冷凍冷蔵機器等の冷凍システム（図示せず）に吐出される。
【００７２】
圧縮機構部１０２の軸受部１０６、シリンダ１０９、コネクティングロッド１１１およびピストン１０８等の各摺動部へは、シャフト１０４の下端に装着された給油管１１８が回転してその遠心ポンプ作用により潤滑油１１９を汲み上げて給油する。回転子２１５にはネオジウム等の希土類系の強磁性体磁石材からなる永久磁石を内蔵することにより、励磁電力が不要となり高い効率が得られる。
【００７３】
次に電動圧縮機に、落下時等の強い衝撃が加わった時の動作、作用を説明する。
【００７４】
固定子２１６は、積層電磁鋼板よりなる固定子鉄心２２５がブロック１１０の固定子取り付け脚部１１０ａに固定ボルト１２２によって螺着されているため、落下の衝撃が積層電磁鋼板の積層方向の力として発生し、固定子鉄心２２５の積層間のわずかな空隙がつまり、一瞬収縮する。しかしながら、固定子２１６と固定子取り付け脚部１１０ａの接合している側面を溶着部２４０にて溶着結合しているため、固定ボルト１２２の締め付け力の低下を溶着による結合力が補うため、固定子２１６の固定は堅固な状態を維持することができる。
【００７５】
従って、落下時等の強い衝撃が加わり、固定子鉄心１２５が積層方向に一瞬収縮し、加えて希土類系の永久磁石２２０の強い磁力が作用しても、固定子２１６が回転子２１５に吸引されて固定位置がずれてしまうことが無くなる。また、落下の衝撃が収まると固定ボルト１２２の締付方向の力は元に戻るので、固定子１２０は元の位置のまま、再び固定される。
【００７６】
その結果、回転子２１５が強磁性体からなる永久磁石の圧縮機の輸送時に生じていた固定子２１６と回転子２１５間のエアーギャップ不良を減少することができ、電動機のギャップ不同に起因する始動性の悪化および効率低下といった問題を回避することができる。まして始動しないといったことは発生しない。
【００７７】
従って本実施の形態によれば、固定子２１６が回転子２１５に吸引されて固定位置がすれてしまうことを防ぐことができ、耐衝撃性の高い電動圧縮機を提供することができた。
【００７８】
（実施の形態４）
図９は、本発明の実施の形態４における電動圧縮機の縦断面図であり、図１０は、同実施の形態における電動圧縮機の要部拡大縦断面図である。
【００７９】
以下、図９、図１０に基づいて本実施の形態について説明する。なお、実施の形態３と同一構成については同一符号を付して詳細な説明を省略する。
【００８０】
図９、図１０において、圧縮機構部１０２の枠体よりなる固定子取り付け脚部１１０ａと固定子２１６をバネ鋼で形成した固定ボルト２５０によって固定子２１６を固定する。
【００８１】
以上のように構成された電動圧縮機について、以下その動作、作用を説明するが、特に落下時等の強い衝撃が加わった時の動作、作用を説明する。
【００８２】
固定子２１６は、積層電磁鋼板よりなる固定子鉄心２２５がブロック１１０の固定子取り付け脚部１１０ａに固定ボルト２５０によって螺着されているため、落下の衝撃が積層電磁鋼板の積層方向の力として発生し、固定子鉄心２２５の積層間のわずかな空隙がつまり、一瞬収縮する。その結果、固定ボルト２５０の締め付け力は激減する。しかしながら、固定子２１６を、バネ鋼で形成した固定ボルト２５０にてブロック１１０に締め付け固定しているので、固定ボルト２５０の締め付け力の低下をバネ鋼の弾性力が補うため、固定子２１６の固定は堅固な状態を維持することができる。
【００８３】
従って、落下時等の強い衝撃が加わり、固定子鉄心２２５が積層方向に一瞬収縮し、加えて希土類系の永久磁石２２０の強い磁力が作用しても、固定子２１６が回転子２１５に吸引されて固定位置がずれてしまうことが無くなる。また、落下の衝撃が収まると固定ボルト２５０の締付方向の力は元に戻るので、固定子２１６は元の位置のまま、再び固定される。
【００８４】
その結果、回転子２１５が強磁性体からなる永久磁石の圧縮機の輸送時に生じていた固定子２１６と回転子２１５間のエアーギャップ不良を減少することができ、電動機のギャップ不同に起因する始動性の悪化および効率低下といった問題を回避することができる。まして始動しないといったことは発生しない。
【００８５】
従って本実施の形態によれば、固定子２１６が回転子２１５に吸引されて固定位置がずれてしまうことを防ぐことができ、耐衝撃性の高い電動圧縮機を提供することができた。
【産業上の利用可能性】
【００８６】
以上のように、本発明にかかる電動圧縮機は、輸送時に生じていた固定子と回転子間のエアーギャップ不良を低減することで、耐衝撃性に優れた信頼性の高い電動圧縮機を提供することができるので、冷凍冷蔵庫や自動販売機等の冷凍装置の用途にも適用できる。
【図面の簡単な説明】
【００８７】
【図１】本発明の実施形態１における電動圧縮機の縦断面図
【図２】図１の要部拡大横断面図
【図３】同実施形態における電動圧縮機の要部拡大縦断面図
【図４】本発明の実施形態２における電動圧縮機の縦断面図
【図５】同実施形態における電動圧縮機の要部拡大縦断面図
【図６】本発明の実施形態３における電動圧縮機の縦断面図
【図７】図６の要部拡大横断面図
【図８】同実施形態における電動圧縮機の要部拡大縦断面図
【図９】本発明の実施形態４における電動圧縮機の縦断面図
【図１０】同実施形態における電動圧縮機の要部拡大縦断面図
【図１１】従来の電動圧縮機の縦断面図
【図１２】図９の要部拡大縦断面図
【符号の説明】
【００８８】
１０１    密閉容器
１０２    圧縮機構部
１０３，２０３    電動機部
１０４    シャフト
１０７    ２次導体
１１０    ブロック
１１０ａ    固定子取り付け脚部
１１４，２２０    永久磁石
１１５，２１５    回転子
１１６，２２１    回転子鉄心
１２０，２１６    固定子
１２１    弾性座金
１２２    固定ボルト
１２４，２２４    巻線部
１２５，２２５    固定子鉄心
１３０    接着剤
２４０    溶着部
２５０    バネ鋼で形成した固定ボルト
【図１】
2005180312.tif 000003
【図２】
2005180312.tif 000004
【図３】
2005180312.tif 000005
【図４】
2005180312.tif 000006
【図５】
2005180312.tif 000007
【図６】
2005180312.tif 000008
【図７】
2005180312.tif 000009
【図８】
2005180312.tif 000010
【図９】
2005180312.tif 000011
【図１０】
2005180312.tif 000012
【図１１】
2005180312.tif 000013
【図１２】
2005180312.tif 000014